(57)【要約】      （修正有）【課題】繰り返して押しても指が疲れることなく、かつ指を衝撃から保護する押しボタンスイッチを提供する。【解決手段】上端の押し圧部が、軟質のプラスチック材層５１と、軟質のプラスチック層によって内部に形成される中空部５２とを具えるように構成する。【選択図】図２Ａ
0003120575.tif 000002
【実用新案登録請求の範囲】
【請求項１】
上端の押し圧部が、軟質のプラスチック材層と、該軟質のプラスチック層によって内部に形成される中空部とを具えることを特徴とする押しボタンスイッチ。
【請求項２】
前記押しボタンスイッチが一体に構成されることを特徴とする請求項１に記載の押しボタンスイッチ。
【請求項３】
前記押しボタンスイッチが押し圧部と、プッシング部と、支持部とによってなり、
該押し圧部は軟質プラスチック層によってなり、内部に中空部を具え、底端には円周に沿って嵌着突起を一体に形成するともに、内壁の適宜な位置に、内周に沿って、断面がＴ字状を呈する凹溝を形成し、
該プッシング部は、円筒状の本体の上端の外周面に、該押し圧部の凹溝に対応する係合突起を円周に沿って一体に形成し、かつ底端から切り欠き溝を形成してなり、
該支持部は該プッシング部の外側に設けられ、筒体の上端の外周縁部に円周に沿って当止突起を一体に形成し、該当止突起から円の中心に向かって凹状に形成当接面を形成し、該当接面の適宜な位置に複数の支持突起を形成し、かつ外周面の底端には、複数の当止ブロックを一体に形成することを特徴とする請求項１に記載の押しボタンスイッチ。
【請求項４】
前記押しボタンスイッチがシングルコントロールボタンであって、押し圧部と、支持部と、プッシング部とによってなり、該押し圧部は弾性を有し、上面が円弧状に隆起した軟質プラスチック材によってなり、内部に中空部を形成し、該押し圧部を該支持部に連結し、該押し圧部と該支持部の内面に該プッシング部を嵌着させることを特徴とする請求項１に記載の押しボタンスイッチ。
【請求項５】
前記押しボタンスイッチが方向キーであって、弾性を有する軟性のプラスチック材によってなる押し圧部を具え、該押し圧は、一部が隆起して内部に中空部を形成し、該押し圧部の下端に、プレート部を具え、かつやや硬質のガイド部材を設け、該押し圧部の内壁に嵌着溝を形成して該ガイド部材を嵌着することを特徴とする請求項１に記載の押しボタンスイッチ。
【請求項６】
前記方向キーの中空部を形成する位置が、該方向キーのそれぞれの方向に対応して押し圧する部分であることを特徴とする請求項１に記載の押しボタンスイッチ。
【請求項７】
前記プッシング部の上部の適宜な位置に複数の突起を形成して、該突起が該押し圧部に当接して、該嵌着溝が該支持部を確実に挟持するように構成することを特徴とする請求項１に記載の押しボタンスイッチ。
【考案の詳細な説明】
【技術分野】
【０００１】
この考案は、電子製品、特にテレビゲーム用コントローラなどに適した押しボタンスイッチに関する。
【背景技術】
【０００２】
電子技術の発展にともない、各種の電子製品が日常生活で幅広く使用されるようになった。これら電子製品は、例えばテレビゲームを操作するリモートコントロール装置などは、複数押しボタン式の開閉器を具える。
【０００３】
図１Ａに開示するように、従来の押しボタンスイッチ９はハウジング９０に設けられ、上方から押し圧すると下方に移動して図１Ｂに開示する状態となる。
但し、従来の押しボタンスイッチ９は、中空構造ではなく、材質もある程度硬質であるため、テレビゲームのリモートコントロール装置のように長時間継続的に押す場合、押しボタンスイッチ９を押した場合の感触が重要な問題となる。即ち、押しボタンスイッチ９が中空構造ではなく、かつ硬質のプラスチック材によってなるため、皮膚と筋肉に押しボタンスイッチ９を押した場合の反作用と硬さが伝わり、長時間の操作で違和感、疲れを容易に感じる。甚だしくは、長い時間継続的に押すと、水疱、肉刺、指の変形を引き起こす場合もある。
【考案の開示】
【考案が解決しようとする課題】
【０００４】
この考案は、長い時間継続的に押しても、疲れ、違和感を感じることのない押しボタンスイッチを提供することを課題とする。
【課題を解決するための手段】
【０００５】
そこで、本考案者は従来の押しボタンスイッチに見られる欠点に鑑み鋭意研究を重ねた結果、上端の押し圧部が、軟質のプラスチック材層と、該軟質のプラスチック層によって内部に形成される中空部とを具える押しボタンスイッチによって課題を解決できる点に着眼し、かかる知見に基づいて本考案を完成させた。
【０００６】
以下、この考案について具体的に説明する。
請求項１に記載する押しボタンスイッチは、上端の押し圧部が、軟質のプラスチック材層と、該軟質のプラスチック層によって内部に形成される中空部とを具える。
【０００７】
請求項２に記載する押しボタンスイッチは、請求項１における押しボタンスイッチが一体に構成される。
【０００８】
請求項３に記載する押しボタンスイッチは、請求項１における押しボタンスイッチが押し圧部と、プッシング部と、支持部とによってなり、
該押し圧部は軟質プラスチック層によってなり、内部に中空部を具え、底端には円周に沿って嵌着突起を一体に形成するともに、内壁の適宜な位置に、内周に沿って、断面がＴ字状を呈する凹溝を形成し、
該プッシング部は、円筒状の本体６１の上端の外周面に、該押し圧部の凹溝に対応する係合突起を円周に沿って一体に形成し、かつ底端から切り欠き溝を形成してなり、
該支持部は該プッシング部の外側に設けられ、筒体の上端の外周縁部に円周に沿って当止突起を一体に形成し、該当止突起から円の中心に向かって凹状に形成当接面を形成し、該当接面の適宜な位置に複数の支持突起を形成し、かつ外周面の底端には、複数の当止ブロックを一体に形成する。
【０００９】
請求項４に記載する押しボタンスイッチは、請求項１における押しボタンスイッチがシングルコントロールボタンであって、押し圧部と、支持部と、プッシング部とによってなり、該押し圧部は弾性を有し、上面が円弧状に隆起した軟質プラスチック材によってなり、内部に中空部を形成し、該押し圧部を該支持部に連結し、該押し圧部と該支持部の内面に該プッシング部を嵌着させる。
【００１０】
請求項５に記載する押しボタンスイッチは、請求項１における押しボタンスイッチが方向キーであって、弾性を有する軟性のプラスチック材によってなる押し圧部を具え、該押し圧部は、一部が隆起して内部に中空部を形成し、該押し圧部の下端に、プレート部を具え、かつやや硬質のガイド部材を設け、該被覆層の内壁に嵌着溝を形成して該ガイド部材を嵌着する。
【００１１】
請求項６に記載する押しボタンスイッチは、請求項１における方向キーの中空部を形成する位置が、該方向キーのそれぞれの方向に対応して押し圧する部分である。
【００１２】
請求項７に記載する押しボタンスイッチは、請求項１におけるプッシング部の上部の適宜な位置に複数の突起を形成して、該突起が該押し圧部に当接して、該嵌着溝が該支持部を確実に挟持する。
【考案の効果】
【００１３】
この考案による押しボタンスイッチは、指で押すと柔軟で、好ましい触感が得られ、これをゲームコントローラなどに応用した場合、長時間にわたってボタンを押す動作を繰り返しても、指に疲れを感じることがなく、指を衝撃から保護するという利点を有する。
【考案を実施するための最良の形態】
【００１４】
この考案は、電子製品、特にゲームコントローラに適する押しボタンスイッチを提供するものであって、上端の押し圧部が、軟質のプラスチック材層と、該軟質のプラスチック層によって内部に形成される中空部とを具える構造によって、繰り返して押しても指が疲れることなく、かつ指を衝撃から保護するという目的を達成する。
かかる構成の押しボタンスイッチについて、その構造と特徴を詳述するために、具体的な例を挙げて、図面を参照にして以下に説明する。
【実施例１】
【００１５】
図２Ａ、２Ｂ、２Ｃに、この考案による押しボタンスイッチを開示する。図面によれば、この考案の押しボタンスイッチ５はハウジング５０の適宜な位置に設けられ、押すボタンスイッチ全体を一体に構成し、かつエアーバッグ式の緩衝構造を具える。即ち、上部は軟質プラスチック層５１で被覆し、中空部５２を形成する。軟質プラスチック層５１は、中央部をやや薄くし、外周縁部をやや厚くする。
【００１６】
図２Ｂに開示するように、軟質プラスチック層５１を押し圧すると、上面中央部が窪む。次いで、図２Ｃに開示するように押しボタンスイッチ５が下方に移動して、開閉のための押し圧の動作が完了する。
【００１７】
上述するように、この考案による押しボタンスイッチ５を指で押すと、中空部５２によって緩衝作用が発生して柔軟な感覚がし、好ましい触感が得られる。よって、長い時間継続して押しても、違和感を感じることがない。
【実施例２】
【００１８】
図３、４、５に、第２の実施例による押しボタンスイッチを開示する。図面によれば、押しボタンスイッチ６は、押し圧部６１と、プッシング部６２と、支持部６３とによってなる。押し圧部６１は軟質プラスチック層５１によってなり、中空部６１１を形成し、底端には円周に沿って嵌着突起６１３を一体に形成するともに、内壁の適宜な位置に、内周に沿って凹溝６１２を形成する、凹溝６１２は断面がＴ字状を呈する。
【００１９】
プッシング部６２は、円筒状の本体の上端の外周面に、該押し圧部６１の凹溝６１２に対応する係合突起６２１を円周に沿って一体に形成し、かつ底端から切り欠き溝６２３を形成してなり、押し圧部６１の底部に組み付ける。
【００２０】
支持部６３はプッシング部６２の外側に設けられ、筒体の上端の外周縁部に円周に沿って当止突起６３１を一体に形成し、当止突起６３１から円の中心に向かって凹状に形成して当接面６３２を形成し、該当接面６３２の適宜な位置に複数の支持突起６３３を形成し、かつ外周面の底端には、少なくとも２つ以上の当止ブロック６３４を一体に形成する。
【００２１】
上述する押し圧部６１と、プッシング部６２と、支持部６３とを組み立てる場合は、図６に開示するように、プッシング部６２の係合突起６２１を凹溝６１２に嵌着して、支持部６３をプッシング部６２の方向に圧迫すると、当止突起６３１が嵌着突起６１３を外周から制限し、かつ嵌着突起６１３が係合突起６２１と当接面６３２とによって上下から制限され、さらに支持突起６３３の作用を受ける。かかる多重の支持構造によって、部材の連結が外部からの力を受けても容易に外れることがなくなる。また、押しボタンスイッチ６を指で押すと、軟質プラスチック層５１と中空部５２の作用によって柔軟な感触が得られる。
【００２２】
図７に、この考案による押しボタンスイッチをゲームコントローラに応用した例を開示する。図面によれば、ゲームコントローラは、グリップ部１０１を具える本体１０に、コントロールスティック１０２と、複数のシングルコントロールボタン１と、方向キー２を設けてなり、シングルコントロールボタン１と方向キー２に、この考案による押しボタンスイッチを応用する。
【００２３】
図８、９に開示するように、シングルコントロールボタン１は押し圧部１１と、支持部１２と、プッシング部１３とによってなる。押し圧部１１は弾性を有し、上面が円弧状に隆起した軟質プラスチック材によってなり、内部に中空部１１１を形成する。押し圧部１１の外周面には、支持部１２が嵌着する嵌着溝１１２を形成する。また、プッシング部１３の上面には、プッシング部１３が緊密に嵌着するように外周縁部に段差を形成し、押し圧部１１と支持部１２の内面に嵌着させる。さらに、プッシング部１３と支持部１２との間には、空気が流動する隙間１４を形成する。
【００２４】
上述の構造によるシングルコントロールボタン１は、押し圧部１１を押し圧すると、軟質プラスチック材の作用によって好ましい触感が得られる。同時に、衝撃を緩衝することができる。この場合、押し圧部１１を押し圧すると、押し圧部１１の上面がやや下方に窪み、中空部１１１内の一部の空気が排出され、中空部１１１内に空気の流動が発生する。このため、シングルコントロールボタン１を押す動作を繰り返した場合、中空部１１１内の空気の流動作用を保持することができる。
【００２５】
図１０、１１に開示するように、方向キー２は弾性を有する軟性のプラスチック材によってなる押し圧部２１を具える。押し圧部２１は、一部が隆起して内部に中空部２１１を形成する。中空部２１１を形成する位置は、方向キー２のそれぞれの方向に対応して押し圧する部分である。また、押し圧部２１の下端に、やや硬質のガイド部材２２を設ける。即ち、押し圧部２１の内壁に嵌着溝２１２を形成してガイド部材２２のプレート部２２１を嵌着する。
【００２６】
図１１から図１５に、方向キー２の構造を開示する。図面によれば、方向キー２の押し圧部２１に連結するガイド部材２２は円筒状ではなく、タッチプレート２３を設けてなり、図１５に開示するように、一方の押し圧部２１を押し圧すると、ガイド部材２２に接続するタッチプレート２３が連動して回路ボード２０上に設けた導電部２０１を押し圧する。
【００２７】
また、図１６に開示するように、プッシング部１３の上部の適宜な位置に複数の突起１３１を形成して、突起１３１が押し圧部１１に当接し、押し圧部１１の嵌着溝１１２が支持部１２を挟持するように構成してもよい。突起１３を形成することによって、嵌着溝１１２が支持部１２を挟持する効果がさらに理想的になる。
【００２８】
この考案による押しボタンスイッチは、ゲームコントローラ以外に、キーボード、もしくはその他リモートコントローラなどに幅広く応用することができる。
【００２９】
以上は、この考案の好ましい実施例であって、この考案の実施の範囲を限定するものではない。よって、当業者がなし得る修正、変更であって、この考案の精神の下においてなされ、かつこの考案に対して均等の効果を有するものは、いずれもこの考案の実用新案登録請求の範囲に属する。
【図面の簡単な説明】
【００３０】
【図１Ａ】従来の押しボタンスイッチの断面構造を示した説明図である。
【図１Ｂ】従来の押しボタンスイッチの動作を示した説明図である。
【図２Ａ】この考案による押しボタンスイッチの断面構造を示した説明図である。
【図２Ｂ】この考案による押しボタンスイッチの動作を示した説明図である。
【図２Ｃ】この考案による押しボタンスイッチの動作を示した他の説明図である。
【図３】第２の実施例よる押しボタンスイッチの外観を示した斜視図である。
【図４】図３に開示する押しボタンスイッチの分解図である。
【図５】図４に開示する部材の断面構造を示した説明図である。
【図６】第２の実施例による押しボタンスイッチの断面構造を示した説明図である。
【図７】この考案による押しボタンスイッチを設けたゲームコントローラの斜視図である。
【図８】図７に開示するゲームコントローラのシングルコントロールボタンの断面構造を示した説明図である。
【図９】図７に開示するゲームコントローラのシングルコントロールボタンの動作を示した説明図である。
【図１０】図７に開示するゲームコントローラの方向キーの平面図である。
【図１１】図１０に開示するＡ−Ａ線に沿った断面図である。
【図１２】図７に開示するゲームコントローラの方向キーの断面構造を示した説明図である
【図１３】方向キーに対応して回路ボードに設けられる電極の配置を示した説明図である。
【図１４】図１２に開示する方向キーを押し圧しない状態を示した断面説明図である。
【図１５】図１２に開示する方向キーを押し圧した状態を示した断面説明図である。
【図１６】第３の実施例による押しボタンスイッチの断面構造を示した説明図である。
【符号の説明】
【００３１】
１ シングルコントロールボタン
１０ 本体
１０１ ブリップ部
１０２ コントロールスティック
１１ 押し圧部
１１１ 中空部
１１２ 嵌着溝
１２ 支持部
１３ プッシング部
１３１ 突起
１４ 隙間
２ 方向キー
２０ 回路ボード
２０１ 導電部
２１ 押し圧部
２１１ 中空部
２１２ 嵌着溝
２２ ガイド部材
２３ タッチプレート 
５ 押しボタンスイッチ
５０ ハウジング
５１ 軟質プラスチック層
５２ 中空部
６ 押しボタンスイッチ
６１ 押し圧部
６１１ 中空部
６１２ 凹溝
６１３ 嵌着突起
６２ プッシング部
６２１ 係合突起
６２３ 切り欠き溝
６３ 支持部
６３１ 当止突起
６３２ 当接面
６３３ 支持突起
６３４ 当止ブロック
９ 押しボタンスイッチ
９０ ハウジング
【図１Ａ】
0003120575.tif 000003
【図１Ｂ】
0003120575.tif 000004
【図２Ａ】
0003120575.tif 000005
【図２Ｂ】
0003120575.tif 000006
【図２Ｃ】
0003120575.tif 000007
【図３】
0003120575.tif 000008
【図４】
0003120575.tif 000009
【図５】
0003120575.tif 000010
【図６】
0003120575.tif 000011
【図７】
0003120575.tif 000012
【図８】
0003120575.tif 000013
【図９】
0003120575.tif 000014
【図１０】
0003120575.tif 000015
【図１１】
0003120575.tif 000016
【図１２】
0003120575.tif 000017
【図１３】
0003120575.tif 000018
【図１４】
0003120575.tif 000019
【図１５】
0003120575.tif 000020
【図１６】
0003120575.tif 000021